(57)【要約】      （修正有）【課題】各種機能に関する設定パラメータの設定操作が容易に行える画像処理装置およびその制御方法および制御プログラムを提供する。【解決手段】機能グループ登録部１０１により、１または複数の機能設定画面をグループ化して予め登録しておく。ユーザが各種機能に関する設定値の設定操作を行う場合には、機能グループ読出部１０４でグループ化して登録された機能設定画面を読み出し、読み出したグループ化された機能設定画面各々を機能選択部１０６で切り替え表示してパラメータ設定部１０７で機能設定操作を行う。【選択図】図２
2006081093.tif 000002
【特許請求の範囲】
【請求項１】
各種機能に関する設定値の設定を行う機能設定画面を複数有する画像処理装置において、
前記機能設定画面の１または複数をグループ化して登録する登録手段と、
前記登録手段でグループ化して登録された前記機能設定画面をユーザ操作に応じて切り替え表示する表示制御手段と、
前記表示制御手段で切り替え表示された前記機能設定画面で前記設定値の設定を行う設定手段と
を具備することを特徴とする画像処理装置。
【請求項２】
前記登録手段でグループ化して登録された前記機能設定画面のグループから特定のグループを選択するグループ選択手段
を更に具備し、
前記表示制御手段は、
前記選択手段で選択された前記グループに含まれる前記機能設定画面をユーザ操作に応じて切り替え表示する
ことを特徴とする請求項１記載の画像処理装置。
【請求項３】
ユーザ認証を行う認証手段
を更に具備し、
前記表示制御手段は、
前記認証手段で認証したユーザに対応して前記登録手段で登録されたグループに含まれる前記機能設定画面をユーザ操作に応じて切り替え表示する
ことを特徴とする請求項１または２記載の画像処理装置。
【請求項４】
各種機能に関する設定値の設定を行う機能設定画面を複数有する画像処理装置の制御方法において、
前記機能設定画面の１または複数をグループ化して登録手段で登録し、
前記登録手段でグループ化して登録された前記機能設定画面を表示制御手段でユーザ操作に応じて切り替え表示し、
前記表示制御手段で切り替え表示された前記機能設定画面で設定手段により前記設定値の設定を行う
ことを特徴とする制御方法。
【請求項５】
各種機能に関する設定値の設定を行う機能設定画面を複数有する画像処理装置の処理をコンピュータに実行させる制御プログラムであって、
前記機能設定画面の１または複数をグループ化して登録する登録ステップと、
前記登録ステップでグループ化して登録された前記機能設定画面をユーザ操作に応じて切り替え表示する表示制御ステップと、
前記表示制御ステップで切り替え表示された前記機能設定画面で前記設定値の設定を行う設定ステップと
を含むことを特徴とする制御プログラム。
【発明の詳細な説明】
【技術分野】
【０００１】
本発明は、各種機能に関する設定値の設定を行う機能設定画面を複数有する画像処理装置およびその制御方法および制御プログラムに係わり、詳しくは、一連の作業を行うジョブ毎に関連する機能設定画面を登録し、該関連する機能設定画面各々を直接移動して、設定パラメータ（設定値）の設定操作が行えるようにした画像処理装置およびその制御方法および制御プログラムに関する。
【背景技術】
【０００２】
近年、オフィス等において、コピー、ファックスおよびスキャナー機能等の各種機能を備える複合機を用いて様々な業務がなされている。その１つに、一定の作業を繰り返し行うといった定型業務がある。
【０００３】
通常、複合機において行われる定型業務は、特定ジョブを各種機能の設定パラメータ（設定値）だけを変更して繰り返し実行するといったものである。
【０００４】
従来、こういった定型業務を繰り返し実行する場合には、機能と設定パラメータとをセットにして登録しておいたメモリや、過去に使った設定のメモリを呼び出すといった技術（例えば、特許文献１参照）を利用することができた。
【０００５】
また、遂次的に指示し、ジョブ実行に際して必要な機能の設定パラメータを設定させる技術（例えば、特許文献２参照）が知られている。
【特許文献１】特開平１１−０４５０７７号
【特許文献１】特開昭６１−０８０２７３号
【発明の開示】
【発明が解決しようとする課題】
【０００６】
ところで近年、複合機等で行える機能の多くなったことに伴って、設定する機能も多くなり、メニュー構造が多層化されている。そのため、各種機能の設定パラメータを設定若しくは、変更する場合には、多層化されたメニューから順を追って機能設定画面まで移動する必要があり、操作が困難である。
【０００７】
こういった現状により、上記特許文献１の発明では、ユーザ操作により機能設定画面まで移動する必要があるため、操作が煩雑であるという問題がある。
【０００８】
また、上記特許文献２の発明は、順を追って必要な機能の設定パラメータを設定することはできるが、設定できる機能が事前に決められており、ユーザ所望の機能のまとまりで設定パラメータを設定できるというものではなかった。
【０００９】
そこで、本発明は上記問題点に鑑みてなされたものであり、各種機能に関する設定パラメータの設定操作が容易に行える画像処理装置およびその制御方法および制御プログラムを提供することを目的とする。
【課題を解決するための手段】
【００１０】
上記目的を達成するため、請求項１の発明は、各種機能に関する設定値の設定を行う機能設定画面を複数有する画像処理装置において、前記機能設定画面の１または複数をグループ化して登録する登録手段と、前記登録手段でグループ化して登録された前記機能設定画面をユーザ操作に応じて切り替え表示する表示制御手段と、前記表示制御手段で切り替え表示された前記機能設定画面で前記設定値の設定を行う設定手段とを具備することを特徴とする。
【００１１】
また、請求項２の発明は、請求項１の発明において、前記登録手段でグループ化して登録された前記機能設定画面のグループから特定のグループを選択するグループ選択手段を更に具備し、前記表示制御手段は、前記選択手段で選択された前記グループに含まれる前記機能設定画面をユーザ操作に応じて切り替え表示することを特徴とする。
【００１２】
また、請求項３の発明は、請求項１または２の発明において、ユーザ認証を行う認証手段を更に具備し、前記表示制御手段は、前記認証手段で認証したユーザに対応して前記登録手段で登録されたグループに含まれる前記機能設定画面をユーザ操作に応じて切り替え表示することを特徴とする。
【００１３】
また、請求項４の発明は、各種機能に関する設定値の設定を行う機能設定画面を複数有する画像処理装置の制御方法において、前記機能設定画面の１または複数をグループ化して登録手段で登録し、前記登録手段でグループ化して登録された前記機能設定画面を表示制御手段でユーザ操作に応じて切り替え表示し、前記表示制御手段で切り替え表示された前記機能設定画面で設定手段により前記設定値の設定を行うことを特徴とする。
【００１４】
また、請求項５の発明は、各種機能に関する設定値の設定を行う機能設定画面を複数有する画像処理装置の処理をコンピュータに実行させる制御プログラムであって、前記機能設定画面の１または複数をグループ化して登録する登録ステップと、前記登録ステップでグループ化して登録された前記機能設定画面をユーザ操作に応じて切り替え表示する表示制御ステップと、前記表示制御ステップで切り替え表示された前記機能設定画面で前記設定値の設定を行う設定ステップとを含むことを特徴とする。
【発明の効果】
【００１５】
本発明によれば、機能設定画面の１または複数をグループ化して登録し、該グループ化された機能設定画面各々を直接移動して各種機能の設定パラメータ（設定値）の設定操作を行えるように構成したため、設定操作が容易になり、操作性を向上させることができる。特に、定型業務を繰り返し行う場合などには、大幅に作業の省力化を図ることができる。
【発明を実施するための最良の形態】
【００１６】
以下、この発明に係わる画像処理装置およびその制御方法および制御プログラムの実施例について添付図面を参照して詳細に説明する。
【実施例１】
【００１７】
図１は、本発明に係わる画像処理装置を適用した複合機１のシステム構成を示す図である。なお、本発明の機能が実行されるのであれば、単体の機器であっても、複数の機器からなるシステムであっても、ＬＡＮ（Local Area Network），ＷＡＮ（Wide Area Network）等のネットワークを介して接続が為され処理が行われるシステムであっても本発明を適用できる。
【００１８】
図１において、複合機１は大きく分けて、オペレーションパネル等のユーザインターフェースである表示操作部１０と、複合機１の統括制御を行うコントローラ部２０と、該コントローラ部２０の指示に基づいて画像入出力処理を行うエンジン部３０とを具備して構成される。
【００１９】
表示操作部１０は、先に述べた通り、装置本体に備わるオペレーションパネルであり、具体的には、タッチパネルや操作ボタンなどの入力用デバイスと、ＬＥＤ（Light Emitting Diode）、ＬＣＤ（Liquid Crystal Display）などの表示用デバイスを具えたユーザインターフェースである。ユーザは、この画面上に表示された機能設定画面を用いて、設定パラメータの設定値をユーザ所望の値に設定若しくは変更する。
【００２０】
コントローラ部２０は、上述した表示操作部１０とデータ授受を行うパネルＩ／Ｆ（Interface）２１と、後述するシステムメモリ２３等に展開されたプログラムに従って、各部の動作制御および管理を行うメインＣＰＵ（Central Processing Unit）２２と、プログラムの実行等を行う際の作業領域であるシステムメモリ２３と、カードリーダ等のユーザ認証機構である認証部２４と、画像イメージを一時保存するための画像メモリ２５と、後述する画像入力部３１と入力画像イメージ等のデータ授受を行う入力部Ｉ／Ｆ（Interface）２６と、後述する画像出力部３２と出力画像イメージ等のデータ授受を行う出力部Ｉ／Ｆ（Interface）２７と、各種データを保持および管理する記憶部２８とを具備して構成される。
【００２１】
上述した記憶部２８は、各種機能に関する設定パラメータ等の設定操作が行える機能設定画面を複数記憶している。
【００２２】
エンジン部３０は、用紙などに形成された画像データを読み込むスキャナ装置等の画像入力部３１と、用紙などに画像データを形成するプリンタ装置等の画像出力部３１とを具備して構成される。この構成において、本発明に係わる制御処理は主としてメインＣＰＵ２２において行われる。
【００２３】
以上が本発明に係わる複合機１のシステム構成図の説明である。なお、同図には図示しないが、この他、複合機１には、電話回線やネットワークなどを介して他装置との通信を行うためのインターフェース装置である通信部や、複合機１の各構成要素に対して電力供給を制御する電源制御部などが適宜設けられている。
【００２４】
図２は、図１に示したメインＣＰＵ２２の機能的な構成の一部を示す機能ブロック図である。なお、ここでは、本発明に係わる構成要素のみを挙げて説明する。図１と同一のものは同一の符号を付してある。
【００２５】
図２において、メインＣＰＵ２２は、各種処理機能部として、機能グループ登録部１０１と、機能グループ管理部１０２と、表示制御部１０３と、パラメータ設定部１０７とを具備して構成される。
【００２６】
機能グループ登録部１０１は、機能設定画面をグループ化して登録する処理部である。具体的には、ユーザが表示操作部１０を操作し、所望の機能設定画面を選択する。かかる処理で選択された１または複数の機能設定画面をグループ化して１つの機能グループとして登録する。
【００２７】
機能グループ管理部１０２は、上述した機能グループ登録部１０１によってグループ化された機能グループ単位ごとに、記憶部２８に記憶保持される機能設定画面を管理する処理部である。
【００２８】
表示制御部１０３は、表示操作部１０の表示用デバイスに表示制御を行う処理部であり、機能グループ読出部１０４と、機能グループ選択部１０５と、機能選択部１０６とを具備して構成される。
【００２９】
機能グループ読出部１０４は、上述した機能グループ管理部１０２が管理する機能グループを読み出し、該読み出した機能グループを一覧にして表示する処理部である。なお、上記図１で説明した認証部２４にてユーザ認証が行われた場合には、ユーザ毎に機能グループ一覧を切り替えて読み出すように処理する。
【００３０】
機能グループ選択部１０５は、表示操作部１０に表示される機能グループ一覧から、特定の機能グループを選択して表示する処理部である。例えば、表示操作部１０に配布系機能グループ、集約系機能グループ、色系の機能グループ・・・などの複数の機能グループが一覧表示された状態で、ユーザが集約系機能グループを選択した場合、機能グループ選択部１０５は、一覧表示を終了し、集約系機能グループのみを表示するように制御する。
【００３１】
機能選択部１０６は、グループ化される機能設定画面をユーザ指示に応じて切り替え表示する処理部である。例えば、表示操作部１０に「コピー位置／とじしろ」、「わく消し」、「コピー濃度／コントラスト」の機能設定画面からなる配布系機能グループが表示されている場合は、「コピー位置／とじしろ」、「わく消し」、「コピー濃度／コントラスト」のいずれかの画面をユーザ指示に基づいて切り替え表示する。
【００３２】
パラメータ設定部１０７は、上述した機能選択部１０６で選択された機能設定画面の設定パラメータをユーザ指示に基づいて所望の値に設定変更する処理部である。
【００３３】
次に、図３乃至６を参照しながら、上記図１に示した表示操作部１０の表示態様について説明する。
【００３４】
図３は、機能グループ一覧画面が表示された表示操作部１０の一例が示されており、これは、機能グループ登録部１０１でグループ化登録された機能グループを、機能グループ読出部１０４が読み出して一覧表示したものである。
【００３５】
同図に示されるように、機能グループ一覧画面は、予め登録された機能グループの一覧を表示する画面である。この場合、配布系機能グループ、集約系機能グループ、色系機能グループ、後処理系機能グループ、ユーザ定義機能グループ・・・等がラジオボックス（排他制御）に併設されて表示されている。
【００３６】
ユーザは、この機能グループ一覧画面に表示される機能グループから、タッチパネルを操作して、所望の機能グループに併設されているラジオボックス選択後、確定ボタン２０２を押下する。例えば、集約系機能グループを選択した場合には、印刷枚数の抑制に関する設定値変更処理が行える。すなわち、Ｎページの内容を１ページにまとめて印刷するＮｕｐ機能設定画面や、片面／両面印刷の設定が行える片面／両面機能設定画面などが集約系機能グループとしてまとめられている。
【００３７】
図４は、配布系機能グループに係わる機能設定画面の一例を示す図である。なお、ここでは、「コピー位置／とじしろ」、「わく消し」、「コピー濃度／コントラスト」に係わる機能設定画面が配布系機能グループとして予め登録されているものとして説明する。
【００３８】
同図に示される画面は、上記図３の機能グループ一覧画面において、配布系機能グループに併設されるラジオボックスが選択され、確定ボタン２０２が押下された場合に表示される画面である。
【００３９】
先に述べた通り、配布系機能グループには、「コピー位置／とじしろ」、「わく消し」、「コピー濃度／コントラスト」画面がグループ化登録されており、画面各々には前画面ボタン２０４および次画面ボタン２０５が配設されている。
【００４０】
この次画面ボタン２０５を押下した場合には、表示用デバイスの表示内容が次画面へと切り替わる。例えば、「コピー位置／とじしろ」画面において、コピー位置等の調整が終了すると、次画面ボタン２０５を押下する。この次画面ボタン２０５押下とともに「わく消し」画面に切り替わり、わく消しに関する設定値を入力することが可能となる。
【００４１】
一方、前画面ボタン２０４は、表示用デバイスの表示内容を前画面へ戻す機能を果たすボタンである。例えば、「わく消し」画面において、前画面ボタン２０４を押下した場合には、「コピー位置／とじしろ」画面へ戻り、再び、コピー位置等の再調整を行える。以下同様に、「コピー濃度／コントラスト」画面への移動若しくは、設定操作が行える。
【００４２】
上述したように本発明においては、グループ化登録された機能設定画面各々に前画面ボタン２０４および次画面ボタン２０５を配設することで、機能設定画面各々を直接移動して設定パラメータの設定操作が行えるので、特に、定型業務を繰り返し行う場合などには、大幅に作業の省力化を図ることができる。
【００４３】
次に、図５および図６を参照しながら、機能グループ登録処理について説明する。なお、ここでは、機能グループ登録処理の一例として２通りの登録方法を説明する。
【００４４】
まず、機能グループ登録用の画面を設け、かかる画面を用いて機能グループ登録処理を行う場合の処理について説明する。
【００４５】
図５に示すように、機能グループ登録画面は、「設定項目」および「現在の設定値」を具備して構成され、設定項目（第１機能、第２機能・・・第Ｎ機能）に対応して現在の設定値がそれぞれ割り付けられて登録されている。
【００４６】
この場合、上記図４で説明した配布系機能グループを登録する場合のものであり、第１機能には「コピー位置／とじしろ」画面、第２機能には「わく消し」画面、第３機能には「コピー濃度／コントラスト」画面がそれぞれ割り付けられている。
【００４７】
ここで、同図に示すように第１機能を選択した状態で、確定ボタン２０２を押下すると、第１機能登録変更画面に遷移し、該画面にて第１機能に割り付けを所望する画面を設定若しくは、変更することができる。
【００４８】
続いて、機能設定画面に登録ボタンを配設し、該登録ボタンを押下することで機能グループ登録処理を行う場合の処理について説明する。
【００４９】
図６に示すように、機能設定画面（ここでは、「コピー濃度／コントラスト」画面）は、登録ボタン２０６を具備して構成される。
【００５０】
この場合、登録を所望する機能設定画面を表示後、各画面に配設される登録ボタン２０６を押下することで、所望の機能設定画面をグループ化登録することができる。
【００５１】
なお、上述した登録ボタン２０６に加えて削除ボタンを配設して構成してもかまなわい。
【００５２】
また、機能グループ登録処理を行えるユーザを機械管理者などに限定するように構成してもよい。その場合、上述した認証部２４などで機械管理者の認証が得られた場合にのみ機能グループ登録処理を許可し、不特定多数のユーザによる勝手な機能グループの登録処理を抑止することができる。
【００５３】
以上説明したように本発明においては、機能設定画面の１または複数をグループ化して登録し、該グループ化された機能設定画面各々を直接移動して各種機能の設定パラメータ（設定値）の設定操作を行えるように構成したため、設定操作が容易になり、操作性を向上させることができる。特に、定型業務を繰り返し行う場合などには、大幅に作業の省力化を図ることができる。例えば、配布資料を作成する場合には、コピー位置／とじしろ設定、わく消し設定、コピー濃度／コントラスト設定を行う必要があるが、そういった機能設定画面を予め機能グループとして登録しておくことで、配布資料の作成が容易に行える。
【００５４】
なお、上記実施例においては、本発明に係わる画像処理装置を複合機１に適用する場合を説明したが、この画像処理装置の制御方法を複合機１にインストールされた制御プログラムにより実行させるように構成してもよい。
【００５５】
この他、本発明は、上記および図面に示す実施例に限定することなく、その要旨を変更しない範囲内で適宜変形して実施できるものである。例えば、本発明は複合機に限らず、プリンタ、ファックス、コピー機などの画像処理装置全般に適用可能である。
【産業上の利用可能性】
【００５６】
本発明は、各種機能に関する設定値の設定を行う機能設定画面を複数有する画像処理装置全般に適用可能であり、特に、特定ジョブを機能の設定パラメータだけを変更して繰り返し実行するといった定型業務を行うオフィスおよび部署で有効利用することができる。
【図面の簡単な説明】
【００５７】
【図１】本発明に係わる画像処理装置を適用した複合機１のシステム構成を示す図である。
【図２】図１に示したメインＣＰＵ２２の機能的な構成の一部を示す機能ブロック図である。
【図３】表示操作部１０の画面レイアウト（機能グループ一覧画面）の一例を示す図である。
【図４】表示操作部１０の画面レイアウト（配布系機能グループに係わる機能設定画面）の一例を示す図である。
【図５】表示操作部１０の画面レイアウト（機能グループ登録画面）の一例を示す図である。
【図６】表示操作部１０の画面レイアウト（機能設定画面）の一例を示す図である。
【符号の説明】
【００５８】
１    複合機
１０    操作表示部
２０    コントローラ部
２１    パネルＩ／Ｆ（Interface）
２２    メインＣＰＵ（Central Processing Unit）
２３    システムメモリ
２４    認証部
２５    画像メモリ
２６    入力部Ｉ／Ｆ（Interface）
２７    出力部Ｉ／Ｆ（Interface）
２８    記憶部
３０    エンジン部
３１    画像入力部
３２    画像出力部
１０１    機能グループ登録部
１０２    機能グループ管理部
１０３    表示制御部
１０４    機能グループ読出部
１０５    機能グループ選択部
１０６    機能選択部
１０７    パラメータ設定部
２０１    閉じるボタン
２０２    確定ボタン
２０３    取り消しボタン
２０４    前画面ボタン
２０５    次画面ボタン
２０６    登録ボタン
【図１】
2006081093.tif 000003
【図２】
2006081093.tif 000004
【図３】
2006081093.tif 000005
【図４】
2006081093.tif 000006
【図５】
2006081093.tif 000007
【図６】
2006081093.tif 000008